(57)【要約】【課題】  それぞれデジタル放送受信機を内蔵する複数のＡＶ装置の視聴記録履歴の精度を高めることができるＡＶシステムを提供する。【解決手段】  テレビジョン受信機１及び録画再生機器２がそれぞれデジタル放送受信機１１、２１を内蔵するとともに、デジタル放送受信機で視聴又は録画した番組を収得する視聴記録番組収得手段１２、２２及びその番組を記録する視聴履歴記録手段１３、２３を内蔵する場合、テレビジョン受信機及び録画再生機器の相互間で情報交換することが可能な双方向バス３と、双方向バスを介して、視聴履歴記録手段に記録された視聴履歴を互いに交換する情報交換手段１４、２４と、情報交換手段で交換した視聴履歴情報に基づいて、互いに他の視聴履歴記録手段のみに記録された視聴履歴を自己の視聴履歴記録手段に追加記録する補正手段１６、２６とを備える。【選択図】  図１
2006279606.tif 000002
【特許請求の範囲】
【請求項１】
デジタル放送受信が可能で、かつ、視聴履歴の収得蓄積が可能であるテレビジョン受信機と、デジタル放送受信が可能で、かつ、視聴履歴の収得蓄積が可能である録画再生機器とを組み合わせたＡＶシステムであって、
前記テレビジョン受信機及び前記録画再生機器の相互間で情報交換することが可能な双方向バスと、
前記テレビジョン受信機及び前記録画再生機器のそれぞれに設けられ、前記双方向バスを介して、それぞれ収得蓄積された視聴履歴を互いに交換する情報交換手段と、
前記テレビジョン受信機及び前記録画再生機器のそれぞれに設けられ、前記情報交換手段で交換した視聴履歴に基づいて、互いに他方のみに収得蓄積された視聴履歴を自己の視聴履歴に追加する補正手段とを、
備えたＡＶシステム。
【発明の詳細な説明】
【技術分野】
【０００１】
本発明は、それぞれデジタル放送受信機で視聴した番組を収得して視聴履歴として記録するテレビジョン受信機及び録画再生機器を備えたＡＶシステムに関する。
【背景技術】
【０００２】
近年、デジタル放送受信機が普及の兆しを見せている。特に、大型のテレビジョン受信機において、デジタル放送受信機を内蔵する機種の割合が増加している。デジタル放送では、画像、音声と共に様々な付加情報が同時に送信されている。付加情報には現在あるいは未来の放送番組に関する情報が含まれており、ユーザは電子番組ガイドを通じて番組情報を知ることが可能になっている。
【０００３】
一方、デジタル放送受信機においては、電子番組ガイドを通じて知り得た番組情報を利用してユーザの視聴履歴を収集し、嗜好情報としてユーザの使い勝手を高めるために使用することが提案されている（下記の特許文献１参照）。特に、録画再生機器においてはユーザが嗜好する番組をユーザが意図しなくとも録画が行われることでユーザの使い勝手を著しく高めることに効果がある。
【０００４】
このようなデジタル放送を受信できる装置として、単体のデジタル放送受信機やデジタル放送受信機内蔵テレビジョン受信機のほか、デジタル放送受信機を備えた録画再生機器も出荷されている。デジタル放送受信機内蔵テレビジョン受信機と録画再生機器とを備えたＡＶシステムでは、録画再生機器がデジタル放送受信機を備えていなくともデジタル放送の録画を行うことは不可能ではなかったが、録画中に裏番組が視聴できないという問題があった。テレビジョン受信機と録画再生機器がそれぞれ独自にデジタル放送受信機を持つことは、従来のアナログ放送受信機と同等のシステムとなり、ユーザとして使い勝手のよいシステムとなる。
【特許文献１】特開２００３−１３４４３０号公報
【発明の開示】
【発明が解決しようとする課題】
【０００５】
上述したように、デジタル放送受信機を内蔵したテレビジョン受信機と同じくデジタル放送受信機を内蔵した録画再生機器の組み合わせをユーザが使用する場合、これらの装置の双方に設けられたデジタル放送受信機を場合に応じて使い分けることになる。しかしながら、それぞれの装置がユーザの嗜好を収集してユーザの使い勝手を高めるようになっていたとすると、それぞれのデジタル放送受信機間でユーザの嗜好情報が共有できないため、特に、両方のデジタル放送受信機を利用しているユーザの嗜好を収集することに対して種々の問題があった。
【０００６】
例えば、リアルタイムで視聴するときに、テレビジョン受信機のデジタル放送受信機を用いていた場合、リアルタイムで視聴した番組の履歴はテレビジョン受信機側の履歴として残る一方で、録画して視聴した番組の履歴は録画再生機器側の視聴履歴として残ることになり、視聴履歴が分散する。また、録画再生機器に内蔵されたデジタル放送受信機では、ユーザが実際に番組を視聴していないにもかかわらず、デジタル放送がチューニングされている状態が考えられ、単にチューニングされているだけの番組を視聴履歴に追加するかどうかの判断がつかず、ユーザの嗜好情報を収集する上で問題になっていた。
【０００７】
本発明は、上記の問題点を解決するためになされたもので、それぞれデジタル放送受信機を内蔵する複数のＡＶ装置の視聴記録履歴の精度を高めることができるＡＶシステムを提供することを目的とする。
【課題を解決するための手段】
【０００８】
上記の目的を達成するために、本発明は、デジタル放送受信が可能で、かつ、視聴履歴の収得蓄積が可能であるテレビジョン受信機と、デジタル放送受信が可能で、かつ、視聴履歴の収得蓄積が可能である録画再生機器とを組み合わせたＡＶシステムであって、
前記テレビジョン受信機及び前記録画再生機器の相互間で情報交換することが可能な双方向バスと、
前記テレビジョン受信機及び前記録画再生機器のそれぞれに設けられ、前記双方向バスを介して、それぞれ収得蓄積された視聴履歴を互いに交換する情報交換手段と、
前記テレビジョン受信機及び前記録画再生機器のそれぞれに設けられ、前記情報交換手段で交換した視聴履歴に基づいて、互いに他方のみに収得蓄積された視聴履歴を自己の視聴履歴に追加する補正手段とを備えている。
【発明の効果】
【０００９】
上記のように構成したことにより、テレビジョン受信機及び録画再生機器が、互いに他方のみに記録された視聴履歴を自己の視聴履歴として記録するので、視聴記録履歴の精度を高めることができる。
【発明を実施するための最良の形態】
【００１０】
以下、本発明を図面に示す好適な実施の形態に基づいて詳細に説明する。
図１は本発明に係るＡＶシステムの一実施の形態の構成を示す機能ブロック図である。図１において、テレビジョン受信機１及び録画再生機器２が双方向バス３で接続されている。このうち、テレビジョン受信機１はデジタル放送受信機１１を内蔵するとともに、このデジタル放送受信機１１で視聴した番組を収得する視聴記録番組収得手段１２及び収得した番組を視聴履歴として記録する視聴履歴記録手段１３を内蔵しており、さらに、双方向バス３を介して、録画再生機器２との間で視聴履歴を互いに交換し、交換した情報のすべてを一時メモリ１５に格納する情報交換手段１４と、一時メモリ１５に格納された視聴履歴に基づき、録画再生機器２側のみに記録された視聴履歴を自己の視聴履歴記録手段１３に追加記録する補正手段１６とを備えている。
【００１１】
一方、録画再生機器２はデジタル放送受信機２１を内蔵するとともに、このデジタル放送受信機２１で視聴した番組を収得する視聴記録番組収得手段２２及び収得した番組を視聴履歴として記録する視聴履歴記録手段２３を内蔵しており、さらに、双方向バス３を介して、テレビジョン受信機１との間で視聴履歴を互いに交換し、交換した情報のすべてを一時メモリ２５に格納する情報交換手段２４と、一時メモリ２５に格納された視聴履歴に基づき、テレビジョン受信機１側のみに記録された視聴履歴を自己の視聴履歴記録手段２３に追加記録する補正手段２６とを備えている。
【００１２】
図２は図１に機能ブロック図で示したＡＶシステムの具体的な構成を示すブロック図で、テレビジョン受信機１０１と録画再生機器１０２とが映像ケーブル１０３及び音声ケーブル１０４によって接続されており、録画再生機器１０２の映像音声出力をテレビジョン受信機１０１で視聴することが可能になっている。
また、テレビジョン受信機１０１と録画再生機器１０２とは双方向バスとしてのＩＥＥＥ１３９４ケーブル１０５で接続されている。ＩＥＥＥ１３９４ケーブル１０５により、テレビジョン受信機１０１と録画再生機器１０２とは相互にストリームを転送することが可能であり、さらに、ＡＶＣコマンドによって相互の装置をコントロールするなど、映像、音声に限らず種々のデータを相互に転送することが可能である。
【００１３】
また、テレビジョン受信機１０１及び録画再生機器１０２からそれぞれ導出された１０ＢＡＳＥ−Ｔ／１００ＢＡＳＥ−ＴＸイーサネットケーブル１０６、１０７がイーサネットハブ・ルータ１０８を介してインターネット１０９に接続され、これによって、テレビジョン受信機１０１及び録画再生機器１０２はインターネット１０９よりさまざまな情報を入手することができる（イーサネットは登録商標）。このような状況下で、テレビジョン受信機１０１及び録画再生機器１０２はそれぞれにＩＰアドレスが割り当てられており、ＴＣＰ／ＩＰプロトコルを用いて、イーサネット上にて相互にデータ通信を行うことが可能である。そこで、以下にＩＥＥＥ１３９４を使用して視聴履歴の交換の例を説明する。
【００１４】
図３（ａ）、（ｂ）はＩＥＥＥ１３９４バスリセット発生後、双方の装置が視聴履歴を交換する装置であることを確認するために行うネゴシエーションの相互通信のタイムチャートである。ここで、図３（ａ）に示すように、視聴履歴を交換する装置が存在することが確認された場合、初めて視聴履歴の交換及びその追加記録の機能が有効化される。反対に、図３（ｂ）に示すように、視聴履歴を交換する装置が存在しないことが確認された場合、視聴履歴の交換及びその追加記録の機能は無効化される。
【００１５】
図３（ａ）、（ｂ）に示したネゴシエーションにより、視聴履歴の交換及びその追加記録の機能が有効化されると、それぞれの装置は視聴履歴に関する情報を定期的に送信する。図４はテレビジョン受信機及び録画再生機器のそれぞれが情報を送信する状態を示したタイムチャートである。ここで、それぞれの装置は任意の時間にて送信を行う。受信側は受信した情報を、一時メモリ（図１参照）に格納する。また、送信側は送信した情報を、一時メモリ（図１参照）に格納する。
【００１６】
図５（ａ）、（ｂ）は視聴履歴の一例を示した図表であり、（ａ）はテレビジョン受信機１０１から録画再生機器１０２に送信するテレビジョン受信機１０１側の情報であり、（ｂ）は録画再生機器１０２からテレビジョン受信機１０１に送信する録画再生機器１０２側の情報である。ここで送信されるデータは、選局が一定時間以上、例えば１０分以上のデータのみとする。これは、順次選局した場合やコマーシャルのときのみ別の放送局を選局した場合などは、視聴したとはみなされず嗜好情報に加えない方が有効であるとの考えに基づくもので、このように時間の制限を設けることによって、転送する情報を減らすことができる。
【００１７】
次に、図５（ａ）、（ｂ）に示した送信情報をそれぞれ受信して一時メモリに格納された視聴履歴に基づいて、視聴履歴の補正を行う例を説明する。図６は図５に示した視聴履歴をタイムチャートで表したもので、（ａ）はテレビジョン受信機１０１の視聴履歴、（ｂ）は録画再生機器１０２の視聴／録画履歴、（ｃ）は実際の視聴／録画履歴を示している。
【００１８】
まず、図５（ａ）に示した情報は以下に示すような視聴によって得られたものである。すなわち、ユーザは２００４年３月２６日、１４時３０分からＴ２７（地上デジタル放送２７チャネル）を視聴する。１５時００分になり、Ｔ２６（地上デジタル放送２６チャネル）を視聴予定であったが、次番組予告でＴ２７も視聴したくなったため、録画再生機器１０２で録画を開始する。１６時００分から、録画した番組を再生する。ここで、録画再生機器１０２はテレビジョン受信機１０１のＶ１（ビデオ１）端子に接続されており、ユーザはテレビジョン受信機１０１をＶ１に設定する。１７時００分に再生終了後、１８時００分まで、録画再生機器１０２に搭載されたデジタル放送受信機でＴ２７を視聴。１８時００分から、テレビジョン受信機１０１のデジタル放送受信機にてＢ１０１（ＢＳデジタル１０１チャネル）を１９時３０分まで視聴。録画再生機器１０２はＴ２７にチューニングされたままであったが、ユーザは１９時００分に電源をオフ状態にした。
【００１９】
ここで、視聴履歴の交換を行わない場合を考えると、図６（ａ）及び図６（ｂ）に示したように、テレビジョン受信機１０１側では録画再生機器１０２側の１５時００分から１６時００分までの録画と１７時００分から１８時００分までの視聴が認識されていない。また、録画再生機器１０２側においては、テレビジョン受信機１０１側の視聴が認識されていないばかりか、１８時００分から１９時までのＴ２７は実際には視聴していない偽の視聴記録が存在し、録画再生機器１０２だけではこれらの視聴履歴が実際にユーザが視聴したものかどうか判断がつかない。
【００２０】
次に、テレビジョン受信機１０１の視聴履歴と録画再生機器１０２の視聴履歴から、実際の視聴履歴を推定する方法を説明する。ある時間単位、例えば１分ごとに、テレビジョン受信機１０１の視聴履歴を調べる。テレビジョン受信機１０１が外部入力端子ではなく、デジタル放送を表示中である場合、受信している番組を視聴していると判断する。また、録画再生機器１０２で録画した番組がある場合は、その番組も視聴したものとして視聴履歴に加える。テレビジョン受信機１０１が外部入力端子を表示している場合、録画再生機器１０２が視聴している番組があるならば、その番組を視聴していると判断する。この結果、図６（ａ）及び図６（ｂ）から推定した実際の視聴履歴は図６（ｃ）に示したようになる。
【００２１】
以上述べた方法では、例えばテレビジョン受信機１０１が、録画再生機器１０２が接続されていないＶ２（ビデオ２）を選択していた時間に、録画再生機器１０２の視聴履歴が有効化されるという問題がある。そのため、あらかじめ、録画再生機器１０２がテレビジョン受信機１０１のどの入力系統に接続されているかをテレビジョン受信機１０１の設定としてユーザが設定できるようにしておくことが望ましい。この場合、図７に示すように、ＩＥＥＥ１３９４で得られる型番情報と対応させてテレビジョン受信機１０１に表示して入力を促すことができる。
【００２２】
またテレビジョン受信機１０１が２画面同時機能を具備する場合、テレビジョン受信機１０１のデジタル放送受信機と記録再生機器１０２のデジタル放送受信機の両方の視聴履歴が有効になる場合が考えられる。この場合、テレビジョン受信機１０１が送信する履歴情報を図８（ａ）に示すように作成することによって対応できる。図８（ａ）、（ｂ）の例では、１６時００分から１８時００分まで２画面表示してＴ２６とＴ２７を視聴していたことが推定できる。
【００２３】
このようにして、本発明の一実施の形態によれば、図６（ｃ）に示した視聴履歴データとデータ放送から得られる番組情報に基づいて、テレビジョン受信機及び録画再生機器はそれぞれユーザの嗜好をより正確に推定し、得られた嗜好情報に基づいてより高度なサービスをユーザに提供することが可能になる。
【図面の簡単な説明】
【００２４】
【図１】本発明に係るＡＶシステムの一実施の形態の構成を示す機能ブロック図である。
【図２】図１に示したＡＶシステムの具体的な構成を示すブロック図である。
【図３】図２に示したＡＶシステムの動作を説明するために、バスリセット発生後のネゴシエーションの相互通信を示したタイムチャートである。
【図４】図２に示したＡＶシステムの動作を説明するために、情報を送信する状態を示したタイムチャートである。
【図５】図２に示したＡＶシステムの動作を説明するために、視聴履歴の一例を示した図表である。
【図６】図５に示した視聴履歴を表したタイムチャートである。
【図７】図２に示したＡＶシステムの動作を説明するために、テレビジョン受信機に表示した画面例である。
【図８】図２に示したＡＶシステムの動作を説明するために、視聴履歴の別の一例を示した図表である。
【符号の説明】
【００２５】
１、１０１  テレビジョン受信機
２、１０２  録画再生機器
３  双方向バス
１１、２１  デジタル放送受信機
１２、２２  視聴記録番組収得手段
１３、２３  視聴履歴記録手段
１４、２４  情報交換手段
１５、２５  一時メモリ
１６、２６  補正手段
１０３  映像ケーブル
１０４  音声ケーブル
１０５  ＩＥＥＥ１３９４ケーブル
１０６、１０７  イーサネットケーブル
１０８  イーサネットハブ・ルータ
１０９  インターネット
【図１】
2006279606.tif 000003
【図２】
2006279606.tif 000004
【図３】
2006279606.tif 000005
【図４】
2006279606.tif 000006
【図５】
2006279606.tif 000007
【図６】
2006279606.tif 000008
【図７】
2006279606.tif 000009
【図８】
2006279606.tif 000010